(57)【特許請求の範囲】
【請求項１】
駆動機構を内蔵した本体ハウジングの前方に、前記駆動機構によって動作する刃部を突設し、前記刃部にカバーを着脱可能に装着してなる園芸バリカンであって、
前記本体ハウジングの後部に、前記刃部から取り外した前記カバーを前記本体ハウジングから後方への突出状態で連結可能な連結手段を設けて、その連結手段によって連結した前記カバーを介して前記本体ハウジングを支持可能としたことを特徴とする園芸バリカン。
【請求項２】
本体ハウジングに、カバーを外嵌可能な差込部を形成して、その差込部に外嵌させた前記カバーを連結手段で固定するものとした請求項１に記載の園芸バリカン。
【請求項３】
本体ハウジングにハンドルを形成したものにあっては、前記ハンドルを差込部に兼用すると共に、前記本体ハウジングに、前記差込部に沿って形成され、連結手段によって前記差込部及びカバーと結合可能な添設部を設けた請求項２に記載の園芸バリカン。
【請求項４】
前後方向にハンドルを形成して駆動機構を内蔵した本体ハウジングの前方に、前記駆動機構によって動作する刃部を突設した園芸バリカンであって、
前記ハンドルを、前記本体ハウジングから後方へ突出する突出位置と、その突出位置より前方で前記本体ハウジングに収まる組み込み位置とに前後移動可能とすると共に、前記本体ハウジングに、前記各位置で前記ハンドルを固定可能な固定手段を設けて、前記突出位置で固定した前記ハンドルを介して前記本体ハウジングを支持可能とする一方、
前記固定手段を、前記ハンドルが遊挿可能で、前記ハンドルの所定の回転位置で前記ハンドルの前端外周に設けた係合部と係合して前後移動を規制する筒状部と、その筒状部への係合状態で前記ハンドルの回転を規制する規制手段としたことを特徴とする園芸バリカン。
【発明の詳細な説明】
【技術分野】
【０００１】
本発明は、本体ハウジングの前方に突設した刃部により生垣の上面等の刈り込みを行う園芸バリカンに関する。
【背景技術】
【０００２】
園芸バリカンは、本体ハウジングの前方に、モータで駆動するクランク機構等の駆動機構により前後移動する直線状の刃部を突設し、その刃部によって生垣の上面等の刈り込みが可能となっている。
このような園芸バリカンを用いて刈り込み作業をする場合、本体ハウジングに形成したハンドルを把持した状態で刃部が届く範囲でしか刈り込みができないため、遠い場所や高い場所では刈り込みができなかったり、作業者に背伸び等の無理な姿勢を強いたりして作業性が悪くなる。そこで、特許文献１，２に開示の如く、本体ハウジングに伸縮ユニットや伸縮ポール等の延長部材を連結すれば、延長部材を把持することで本体ハウジングを離れた場所で支持でき、広範囲で刈り込みが可能となる。
【０００３】
【特許文献１】特許第３６２２６４６号公報
【特許文献２】登録実用新案第３０４７３５０号公報
【発明の開示】
【発明が解決しようとする課題】
【０００４】
しかし、特許文献１，２の場合、園芸バリカンの本体ハウジングよりも大きい延長部材を利用するため、全体が大型化して重量も大きくなり、狭い場所や長時間の作業には向かない。また、保管や運搬も面倒で、コストもかさむことになる。
【０００５】
そこで、本発明は、作業性の向上を確保しつつ、コンパクトで使い勝手に優れ、コスト面にも有利な延長部材を設けた園芸バリカンを提供することを目的としたものである。
【課題を解決するための手段】
【０００６】
上記目的を達成するために、請求項１に記載の第１発明は、刃部にカバーを着脱可能に装着してなる園芸バリカンであって、本体ハウジングの後部に、刃部から取り外したカバーを本体ハウジングから後方への突出状態で連結可能な連結手段を設けて、その連結手段によって連結したカバーを介して本体ハウジングを支持可能としたことを特徴とする。
請求項２に記載の発明は、請求項１の目的に加えて、カバーを本体ハウジングへ安定状態で確実に連結するために、本体ハウジングに、カバーを外嵌可能な差込部を形成して、その差込部に外嵌させたカバーを連結手段で固定する構成としたものである。
請求項３に記載の発明は、請求項２の目的に加えて、カバーと本体ハウジングとをより強固に一体化させるために、本体ハウジングにハンドルを形成したものにあっては、ハンドルを差込部に兼用すると共に、本体ハウジングに、差込部に沿って形成され、連結手段によって差込部及びカバーと結合可能な添設部を設けたものである。
【０００７】
上記目的を達成するために、請求項４に記載の第２発明は、前後方向に形成したハンドルを、本体ハウジングから後方へ突出する突出位置と、その突出位置より前方で本体ハウジングに収まる組み込み位置とに前後移動可能とすると共に、本体ハウジングに、各位置でハンドルを固定可能な固定手段を設けて、突出位置で固定したハンドルを介して本体ハウジングを支持可能とする一方、固定手段を、ハンドルが遊挿可能で、ハンドルの所定の回転位置でハンドルの前端外周に設けた係合部と係合して前後移動を規制する筒状部と、その筒状部への係合状態でハンドルの回転を規制する規制手段としたことを特徴とする。
【発明の効果】
【０００８】
請求項１及び４に記載の発明によれば、カバー又はハンドルを本体ハウジングの延長部材として合理的に利用できる。特に、延長時にもコンパクトとなる上、重量の増加も生じないため、狭い場所や長時間の作業でも支障なく行え、使い勝手に優れる。また、保管や運搬に余計な手間が増えることがなく、コストアップも少なくて済む。
請求項２に記載の発明によれば、請求項１の効果に加えて、差込部を利用してカバーを本体ハウジングへ安定状態で確実に連結可能となる。
請求項３に記載の発明によれば、請求項２の効果に加えて、カバーがハンドルと添設部とによって挟持固定される格好となり、本体ハウジングへのより強固な一体化が可能となる。また、ハンドルを利用して差込部が簡単且つ合理的に形成可能となっている。
【０００９】
特に、請求項４に記載の発明によれば、ハンドルを利用して延長部材を簡単に得ることができる。また、ハンドルの組み込み位置と突出位置への移動操作が簡単に行え、ハンドルの利用に係る操作性が向上する。
【発明を実施するための最良の形態】
【００１０】
以下、本発明の実施の形態を図面に基づいて説明する。
《形態１》
図１は、第１発明の一例である園芸バリカンの説明図で、園芸バリカン１は、モータを下向きに内蔵し、後方上部に上ハンドル３を延設した本体ハウジング２の前方（図１の右側）に、図示しないクランク機構で動作する刃部４を突設してなる。本体ハウジング２は、左右一対の半割形状をネジ止めして形成される。刃部４は、上下一対の帯板状の固定板５，５と、その固定板５，５の間にあって左右の側縁に刃を千鳥状に形成した帯板状の二枚の可動刃６，６とからなり、上ハンドル３に設けたスイッチレバー７の押し込み操作でモータを駆動させると、可動刃６，６がクランク機構によって互いに逆方向へ前後移動するようになっている。２１は、上ハンドル３におけるスイッチレバー７の近傍に設けられて、スイッチレバー７の押し込み状態を保持するロックオンボタンである。
【００１１】
本体ハウジング２の後方下部には、図２にも示すように、横断面外形を上面が膨出する蒲鉾型とした差込部としての下ハンドル８が延設される一方、上ハンドル３の後端には、下ハンドル８の後端と下端が所定間隔をおいて分断された垂下部９が延設されて、垂下部９に、ジョイントハンドル１０が連結されている。このジョイントハンドル１０は、横断面外形が下ハンドル８の上面に合致する湾曲形状となり、前後方向の長さが下ハンドル８と略同じ添設部１１と、その添設部１１の後端上面に突設したリング状のジョイント部１２とを備え、ジョイント部１２を、垂下部９内に設けた収容部１３に嵌合させて、収容部１３内で左右方向に設けたピン１４をジョイント部１２に貫通させることで、垂下部９に連結されている。
【００１２】
但し、ここでは、収容部１３がジョイント部１２の外形に対して、ジョイント部１２の内径がピン１４の外形に対して夫々上下方向に僅かに遊びが設けられて、連結状態でジョイントハンドル１０は垂下部９に対して上下に微動可能となっている。すなわち、ジョイント部１２が収容部１３の下端に当接するジョイントハンドル１０の下方位置では、添設部１１が下ハンドル８の上面に当接し、ジョイント部１２が収容部１３の上端に当接するジョイントハンドル１０の上方位置では、添設部１１が下ハンドル８の上面から離れて、両者の間に、後述するカバー１８の厚みと略等しい隙間を生じさせるものである。
このジョイントハンドル１０と下ハンドル８とは、下ハンドル８の上下方向に穿設した貫通孔１５，１５を下方から貫通する連結手段としてのネジ１６，１６の先端を、下方位置にあるジョイントハンドル１０の添設部１１にも貫通させて、添設部１１の上側に埋設したナット１７，１７に夫々ねじ込むことで連結可能となっている。
【００１３】
そして、刃部４には、園芸バリカン１の保管や運搬時に刃部４を保護するカバーが装着可能となっているが、このカバー１８は、図３，４に示す如く、下ハンドル８の外形に合致する筒状で、下ハンドル８に後方から被せるように外嵌可能となっている。また、本体ハウジング２における下ハンドル８の突設面に当接するまでカバー１８を前方へ押し込んだ状態で、下ハンドル８の貫通孔１５に対応する上下位置に、ネジ１６が貫通可能な透孔１９，１９・・が夫々形成されている。２０，２０は、カバー１８の内面上方に前後方向へ突設され、下ハンドル８への装着状態で下ハンドル８の左右の側面に当接して左右のがたつきを抑制する突条である。
【００１４】
以上の如く構成された園芸バリカン１においては、通常は、図１に示すように下ハンドル８とジョイントハンドル１０とをネジ１６，１６で連結した状態で使用する。このとき作業者は上ハンドル３を把持したり、ジョイントハンドル１０の添設部１１と下ハンドル８とを同時に把持したりすることで本体ハウジング２を支持して作業できる。
そして、通常時で届きにくい場所で刈り込みを行う場合は、ネジ１６，１６を一旦取り外してジョイントハンドル１０の添設部１１と下ハンドル８とを分離し、下ハンドル８にカバー１８を装着する。このときジョイントハンドル１０を上方位置に退避させることで、カバー１８は添設部１１と下ハンドル８との間にスムーズに装着できる。カバー１８の装着後、再びネジ１６，１６によって下ハンドル８をカバー１８ごと添設部１１にネジ固定すれば、図３及び図５に示す如く、カバー１８は下ハンドル８の後方延長上に突出する格好で本体ハウジング２に連結される。よって、カバー１８の後方を把持して園芸バリカン１を前方へ伸ばすことができ、遠い場所や高い場所でも容易に刈り込みが可能となる。
【００１５】
このように上記形態１の園芸バリカン１によれば、本体ハウジング２に、カバー１８を本体ハウジング２からの突出状態で連結可能な連結手段を設けて、その連結手段によって連結したカバー１８を介して本体ハウジング２を支持可能としたことで、カバー１８を本体ハウジング２の延長部材として合理的に利用できる。特に、延長時にもコンパクトとなる上、重量の増加も殆ど生じないため、狭い場所や長時間の作業でも支障なく行え、使い勝手に優れる。また、保管や運搬に余計な手間が増えることがなく、コストアップも少なくて済む。
【００１６】
一方、本体ハウジング２に、カバー１８を外嵌可能な差込部（下ハンドル８）を形成して、その下ハンドル８に外嵌させたカバー１８をネジ１６で固定することで、カバー１８を本体ハウジング２に安定状態で確実に連結可能となっている。
そして、下ハンドル８を差込部に兼用すると共に、本体ハウジング２に、下ハンドル８に沿って形成され、ネジ１６によって下ハンドル８及びカバー１８と結合可能な添設部１１を設けたことで、カバー１８が下ハンドル８と添設部１１とによって挟持固定される格好となり、本体ハウジング２へのより強固な一体化が可能となる。また、下ハンドル８を利用して差込部が簡単且つ合理的に形成可能となっている。
特にここでは、下ハンドル８及びカバー１８のの上面を膨出させ、添設部１１をこれに合致する湾曲形状としているため、下ハンドル８及びカバー１８に対する添設部１１の左右のがたつきが効果的に抑えられている。
【００１７】
なお、この形態１では、別体にしたジョイントハンドルを微動可能として遊びを設けているが、ハンドルの垂下部と添設部とを一体化した形状とし、下ハンドルを本体ハウジングに対して別体にして微動可能とし、添設部との間に遊びを有するように連結しても差し支えない。但し、遊びは不可欠ではなく、添設部や下ハンドルに十分な弾性があってカバーの外嵌が可能であれば、垂下部に添設部を一体形成する等して遊びをなくすことも可能である。
さらに、ジョイントハンドルをなくして、下ハンドルと下ハンドルと分断された垂下部とをネジによって直接螺着し、両者の間にカバーの上側を差し込むような構造も考えられる。
【００１８】
一方、差込部としては下ハンドルを利用する構造に限らず、例えば上ハンドルに差込部を形成して、カバーを本体ハウジングへ斜め向きに連結するような設計変更も可能である。
その他、ネジはつまみネジ等にすれば、工具を用いなくてもカバーの着脱は容易に行える。勿論ネジ以外にベルト等の他の連結手段を採用してもよい。
【００１９】
《形態２》
次に、本発明の他の形態を説明する。なお、園芸バリカンの基本構造等、形態１と同じ構成部には同一の符号を付して重複する説明は省略する。
図６に示す園芸バリカン１ａには、本体ハウジング２の一部となる下ハンドルとしてスライドグリップ３０が装着されている。このスライドグリップ３０は、図７及び図８（Ａ）にも示すように、前端に大径部３１を、その後方に小径部３２を形成した断面円形の軸体で、大径部３１の外面には、リードのない周方向のねじ山を軸方向の前後へ複数等間隔で突設してなる係合部３３，３３が、点対称に一対形成されている。また、小径部３２における大径部３１の形成際と後端寄りとには、図８（Ｂ）にも示すように、軸方向で係合部３３と同一線上に位置する一対の面取部３４，３４が夫々形成されている。
【００２０】
一方、本体ハウジング２の後方下部には、スライドグリップ３０の大径部３１と係合可能な筒状部３５が形成されている。この筒状部３５は、図８（Ａ）に示すように、大径部３１を略収容可能な内径を有し、内周の上下部分には、リードのない周方向のねじ山を軸方向の前後へ複数等間隔で突設してなり、大径部３１の係合部３３，３３が係合可能な被係合部３６，３６が夫々点対称に一対形成されている。よって、係合部３３，３３を左右側に位置させた大径部３１の向きでは、同図（Ｃ）に示すように、係合部３３が被係合部３６と干渉しないため、大径部３１は筒状部３５に対して挿脱可能となり、筒状部３５に挿入した状態で大径部３１を、係合部３３，３３が上下となるように回転させると、係合部３３，３３が夫々被係合部３６，３６に係止して軸方向に移動規制されることになる。
また、上ハンドル３の後端から下方に垂下された垂下部３７にも、筒状部３５と同軸で、大径部３１が前方から遊挿可能で、内周の上下部分に被係合部３６，３６を夫々形成した第２筒状部３５ａが形成されている。
【００２１】
さらに、第２筒状部３５ａの後方には、スライドグリップ３０の小径部３２よりも僅かに大径となって小径部３２が遊挿可能な保持筒３８が、第２筒状部３５ａと同軸で連設されている。保持筒３８の上方に形成された収容部３９には、下端を小径部３２の面取部３４に当接可能な当接面としたロック部材４０が上下動可能に収容されて、コイルバネ４１によって下方へ付勢されている。ロック部材４０の上端には、収容部３９の後面に設けた長溝４２から後方へ突出する操作片４３が形成されて、この操作片４３が長溝４２の下端に当接する下限位置で、ロック部材４０は下端を保持筒３８内に突出させるようになっている。すなわち、ロック部材４０及びコイルバネ４１がスライドグリップ３０の回転を規制する規制手段となり、これに筒状部３５と第２筒状部３５ａとを合わせて本発明の固定手段を構成するものである。
【００２２】
以上の如く構成された園芸バリカン１ａにおいては、通常は、図６及び図９に示すようにスライドグリップ３０を前方の筒状部３５に差し込んだ状態で、係合部３３が被係合部３６に係合するように回転させて、スライドグリップ３０を本体ハウジング２に収まる格好で使用する（組み込み位置）。このときロック部材４０はスライドグリップ３０の後方側の面取部３４に当接して、スライドグリップ３０の回転を規制している。よって、作業者は上ハンドル３を把持したり、スライドグリップ３０を把持したりすることで本体ハウジング２を支持して作業できる。
【００２３】
そして、通常時で届きにくい場所で刈り込みを行う場合は、操作片４３を利用してロック部材４０をコイルバネ４１の付勢に抗して上方へ持ち上げて、回転規制を解除する。この状態でスライドグリップ３０を図８（Ｃ）に示すように９０度回転させれば、係合部３３と被係合部３６との係合を解除することができる。次にそのままスライドグリップ３０を後退させて大径部３１を第２筒状部３５ａ内に挿入し、再びスライドグリップ３０を９０度回転させれば、今度は係合部３３が第２筒状部３５ａ内の被係合部３６に係合する（突出位置）。ここでロック部材４０の押し上げを解除すると、図１０に示すように、ロック部材４０は前側の面取部３４に当接してスライドグリップ３０の回転を規制することになる。こうして後方へ突出したスライドグリップ３０を把持して園芸バリカン１ａを前方へ伸ばすことができ、遠い場所や高い場所でも容易に刈り込みが可能となる。
【００２４】
このように上記形態２の園芸バリカン１ａにおいても、スライドグリップ３０を、本体ハウジング２から突出する突出位置と、本体ハウジング２に収まる組み込み位置とに移動可能とすると共に、本体ハウジング２に、各位置でスライドグリップ３０を固定可能な固定手段を設けて、突出位置で固定したスライドグリップ３０を介して本体ハウジング２を支持可能としたことで、スライドグリップ３０を延長部材として合理的に利用できる。特に、延長時にもコンパクトとなる上、重量の増加が生じないため、狭い場所や長時間の作業でも支障なく行え、使い勝手に優れる。また、保管や運搬に余計な手間が増えることがなく、コストアップも少なくて済む。
【００２５】
特に、下ハンドルとなるスライドグリップ３０を本体ハウジング２の一部として突出位置へ移動可能としたことで、スライドグリップ３０を利用して簡単な構成で延長部材が得られるようになっている。
そして、スライドグリップ３０を前方の組み込み位置と後方の突出位置とに前後移動可能とし、固定手段を、スライドグリップ３０が遊挿可能で、スライドグリップ３０の所定の回転位置でスライドグリップ３０の前端外周に設けた係合部３３と係合して前後移動を規制する筒状部３５，３５ａと、筒状部３５，３５ａへの係合状態でスライドグリップ３０の回転を規制するロック部材４０及びコイルバネ４１としたことで、スライドグリップ３０の組み込み位置と突出位置への移動操作が簡単に行え、スライドグリップ３０の利用に係る操作性が向上する。
【００２６】
なお、スライドグリップと筒状部との結合は、上記形態のようなリードのないねじ山による係合構造に限らず、リード付のねじ山で筒状部にねじ込むようにしたり、単純な挿脱構造にしてピンやネジで結合したりしても差し支えない。また、ねじ山同士の係合に限らず、スライドグリップの前後移動を規制可能であれば、１又は複数の突起や突条同士を単純に係合させたり、Ｌ字状の溝と突起とによるバヨネット結合を採用したりしてもよい。
さらに、スライドグリップを軸方向へ前後に移動させるものに限らず、垂下部との連結部を支点にしてスライドグリップを回転可能に設け、前方への回転側（組み込み位置）で本体ハウジングとネジ等で結合可能とする一方、後方への回転側（突出位置）でそのまま同様にネジ等で結合可能としても、延長部材としての利用は可能である。勿論下ハンドル（スライドグリップ）を延長部材として用いるものに限らず、上ハンドルや他の部分を突出位置へ移動可能とすることも考えられる。
【００２７】
その他、形態１，２に共通して、園芸バリカン自体の構成は上記形態に限らず、例えば刃部は一方が固定刃、他方が可動刃であってもよいし、上側の上ハンドルがなく、下ハンドルのみ設けた本体ハウジングでも本発明は適用できる。
【図面の簡単な説明】
【００２８】
【図１】形態１の園芸バリカンの全体図である。
【図２】下ハンドル部分の横断面図である。
【図３】カバーを装着した状態の説明図である。
【図４】カバーを装着した下ハンドル部分の横断面図である。
【図５】カバーを装着した状態の底面図である。
【図６】形態２の園芸バリカンの全体図である。
【図７】スライドグリップの説明図である。
【図８】（Ａ）はスライドグリップを結合した状態の筒状部の横断面図、（Ｂ）はスライドグリップの小径部の横断面図、（Ｃ）はスライドグリップの結合を解除した状態の筒状部の横断面図である。
【図９】園芸バリカンの底面図である。
【図１０】スライドグリップを後方へ突出させた園芸バリカンの全体図である。
【符号の説明】
【００２９】
１，１ａ・・園芸バリカン、２・・本体ハウジング、３・・上ハンドル、４・・刃部、８・・下ハンドル、１０・・ジョイントハンドル、１１・・添設部、１２・・ジョイント部、１６・・ネジ、３０・・スライドグリップ、３１・・大径部、３２・・小径部、３３・・係合部、３５・・筒状部、３６・・被係合部、４０・・ロック部材。
【図１】
0004847112.tif 000002
【図２】
0004847112.tif 000003
【図３】
0004847112.tif 000004
【図４】
0004847112.tif 000005
【図５】
0004847112.tif 000006
【図６】
0004847112.tif 000007
【図７】
0004847112.tif 000008
【図８】
0004847112.tif 000009
【図９】
0004847112.tif 000010
【図１０】
0004847112.tif 000011